(57)【要約】【課題】  通信速度を高速にすることなく１組の無線機で制御信号の伝送だけでなく監視データの伝送も可能とすることである。【解決手段】  制御対象を制御する制御信号を送信し監視データを受信する無線親機と、無線親機から制御信号を受信して制御対象の制御に関する監視データを無線親機に送信する無線子機とを備え、無線親機は、制御対象分の制御信号を送信出力するとともに、その制御信号の送信に要する時間の経過後から次の制御信号が入力されるまでの間を受信モードとし、その受信モードの間に無線子機から監視データを受信する。一方、無線子機は、無線親機からの制御信号の受信後に送信モードに切り換え無線親機の受信モードの間に監視データを無線親機に送信する。【選択図】  図１
2006140764.tif 000002
【特許請求の範囲】
【請求項１】
制御対象を制御する制御信号を送信し監視データを受信する無線親機と、前記無線親機から制御信号を受信して前記制御対象の制御に関する監視データを前記無線親機に送信する無線子機とを備え；
前記無線親機は、制御対象分の制御信号を送信出力するとともに、その制御信号の送信に要する時間の経過後から次の制御信号が入力されるまでの間を受信モードとし、その受信モードの間に前記無線子機から監視データを受信し；
前記無線子機は、前記無線親機からの制御信号の受信後に送信モードに切り換え前記無線親機の受信モードの間に前記監視データを前記無線親機に送信することを特徴とする無線送受信装置。
【請求項２】
照明負荷を調光制御する調光制御信号を出力する調光操作手段と；
前記調光操作手段から入力した調光制御信号を無線信号化して送信する無線親機と；
前記無線親機からの調光制御信号を受信する無線子機と；
前記無線子機からの調光制御信号に基づいて照明負荷を制御するとともに自己や照明負荷の監視データを前記無線子機に出力する調光器とを備え；
前記無線親機は、調光制御対象である調光器分の調光制御信号を送信出力するとともに、その調光制御信号の送信に要する時間の経過後から次の調光制御信号が入力されるまでの間を受信モードとし、その受信モードの間に前記無線子機から監視データを受信し；
前記無線子機は、前記無線親機からの調光制御信号の受信後に送信モードに切り換え前記無線親機の受信モードの間に前記調光器からの監視データを前記無線親機に送信することを特徴とする調光制御システム。
【請求項３】
１台の前記無線親機に対して、それぞれ異なるＩＤ番号を設定した複数台の無線子機を設け、前記無線親機は無線で調光制御信号を送信後に受信モードに切り換え、各無線子機からの監視データを受信し、所定時間経過後に送信モードに戻す機能を有し、前記無線子機は調光制御信号を受信後に送信モードに切り換え、自己の無線ＩＤ番号に所定時間を乗じた時間の経過後に監視データを送信するとともに、その後に受信モードに戻すことを特徴とする請求項２記載の調光制御システム。
【請求項４】
無線親機は、電源投入時に複数台の無線子機に対して周波数チャンネルを順番に切り換えて無線送信し、無線子機からの応答を受信して周波数チャンネルの使用状況を判定するとともに空き周波数チャンネルを確認し、応答のあった無線子機に対し周波数チャンネルを前記空き周波数チャンネルのいずれかに変更設定することを特徴とする請求項３記載の調光制御システム。
【発明の詳細な説明】
【技術分野】
【０００１】
本発明は、無線信号により照明負荷の制御を行う無線送受信装置及び調光制御システムに関する。
【背景技術】
【０００２】
例えば、コンサートホールや仮設のイベント会場など屋内外の照明設備では、調光操作手段から親機側信号線を介して入力した調光制御信号を無線親機で無線信号化し、複数の無線子機に送信して複数の調光器の制御を行う調光制御システムが実用化されている。また、複数の調光器に調光制御信号を出力する際に、操作卓からの調光制御信号が複数のすべての調光器に伝送されてから、制御同期信号によって照明負荷の制御を開始し、複数の照明負荷の同時制御が行えるようにしたものがある（例えば、特許文献１参照）。
【０００３】
このような調光制御システムでは、調光制御信号の通信速度とほぼ同じ通信速度の無線機を使用して、調光操作手段からの調光信号を無線親機から無線子機に伝送し、さらに無線子機から調光器へ調光制御信号を伝送するようにしている。従って、各々の調光器に対して一つの調光制御信号が送信されてから次の調光制御信号が送信されるまでの間の空き時間が小さく、ほぼ連続的に調光制御信号が送信される。
【特許文献１】特開２０００−１９５６８１号公報
【発明の開示】
【発明が解決しようとする課題】
【０００４】
しかし、調光器から操作卓へ動作状態や通信状態等の監視データを伝送する機能を付加する場合には、その監視データの伝送のための時間を確保する必要がある。そのために、無線親機及び無線子機には、調光制御信号の通信速度より高速な無線機を使用したり、２組の無線機を使用したりして、監視データの伝送時間を確保しなければならない。
【０００５】
ある程度高速な無線機を使用するとコストが高くなり、また、２組の無線機を使用するとコストが高くなるだけでなく、装置サイズも大きくなる。
【０００６】
本発明の目的は、通信速度を高速にすることなく１組の無線機で制御信号の伝送だけでなく監視データの伝送も可能とした無線送受信装置及び調光制御システムを提供することである。
【課題を解決するための手段】
【０００７】
請求項１の発明に係わる無線送受信装置は、制御対象を制御する制御信号を送信し監視データを受信する無線親機と、前記無線親機から制御信号を受信して前記制御対象の制御に関する監視データを前記無線親機に送信する無線子機とを備え；前記無線親機は、制御対象分の制御信号を送信出力するとともに、その制御信号の送信に要する時間の経過後から次の制御信号が入力されるまでの間を受信モードとし、その受信モードの間に前記無線子機から監視データを受信し；前記無線子機は、前記無線親機からの制御信号の受信後に送信モードに切り換え前記無線親機の受信モードの間に前記監視データを前記無線親機に送信することを特徴とする。
【０００８】
本発明および以下の各発明において、特に指定しない限り用語の定義および技術的意味は次による。無線送受信装置は無線親機と無線子機とを含んで構成され、いずれの無線機も例えば制御信号の通信速度とほぼ同じ通信速度の無線機を用いる。
【０００９】
無線親機には、外部から制御対象の制御信号が入力される。無線親機は、例えば外部から制御対象の制御信号が入力されたときは送信モードとして、制御対象分の制御信号を送信出力する。それとともに、その制御信号の送信に要する時間の経過後から次の制御信号が入力されるまでの間を空き時間と判定し、その期間を受信モードとする。そして、その受信モードの間に無線子機から監視データを受信する。一方、無線子機は、無線親機から制御信号を受信し、受信が完了すると送信モードに切り換えて制御対象の制御に関する監視データを無線親機に送信する。
【００１０】
請求項２の発明に係わる調光制御システムは、照明負荷を調光制御する調光制御信号を出力する調光操作手段と；前記調光操作手段から入力した調光制御信号を無線信号化して送信する無線親機と；前記無線親機からの調光制御信号を受信する無線子機と；前記無線子機からの調光制御信号に基づいて照明負荷を制御するとともに自己や照明負荷の監視データを前記無線子機に出力する調光器とを備え；前記無線親機は、調光制御対象である調光器分の調光制御信号を送信出力するとともに、その調光制御信号の送信に要する時間の経過後から次の調光制御信号が入力されるまでの間を受信モードとし、その受信モードの間に前記無線子機から監視データを受信し；前記無線子機は、前記無線親機からの調光制御信号の受信後に送信モードに切り換え前記無線親機の受信モードの間に前記調光器からの監視データを前記無線親機に送信することを特徴とする。
【００１１】
本発明は、請求項１の無線送受信装置を調光制御システムに適用したものである。無線親機及び無線子機は、例えば調光制御信号の通信速度とほぼ同じ通信速度の無線機を用いる。調光操作手段からは調光制御対象である調光器分の調光制御信号のみが出力される。無線親機は、その調光器分の調光制御信号が入力されたときは送信モードとして、その調光制御信号を送信出力する。それとともに、その調光制御信号の送信に要する時間の経過後から次の調光制御信号が入力されるまでの間を空き時間と判定し、その期間を受信モードとする。そして、その受信モードの間に無線子機から監視データを受信する。一方、無線子機は、無線親機から調光制御信号を受信すると、その調光制御信号を調光器に出力し照明負荷を調光制御する。そして、調光制御信号の受信が完了すると送信モードに切り換えて調光器や照明負荷の調光制御に関する監視データを無線親機に送信する。
【００１２】
請求項３の発明に係わる調光制御システムは、請求項２の発明において、１台の前記無線親機に対して、それぞれ異なるＩＤ番号を設定した複数台の無線子機を設け、前記無線親機は無線で調光制御信号を送信後に受信モードに切り換え、各無線子機からの監視データを受信し、所定時間経過後に送信モードに戻す機能を有し、前記無線子機は調光制御信号を受信後に送信モードに切り換え、自己の無線ＩＤ番号に所定時間を乗じた時間の経過後に監視データを送信するとともに、その後に受信モードに戻すことを特徴とする。
【００１３】
本発明は、１台の無線親機に対して、複数個の無線子機で構成される調光制御システムに適用したものであり、各々の無線子機は、次の調光制御信号が入力されるまでの間の空き時間に、自己の無線ＩＤ番号に所定時間を乗じた時間の経過後に監視データを送信する。
【００１４】
請求項４の発明に係わる調光制御システムは、請求項３の発明において、無線親機は、電源投入時に複数台の無線子機に対して周波数チャンネルを順番に切り換えて無線送信し、無線子機からの応答を受信して周波数チャンネルの使用状況を判定するとともに空き周波数チャンネルを確認し、応答のあった無線子機に対し周波数チャンネルを前記空き周波数チャンネルのいずれかに変更設定することを特徴とする。
【００１５】
本発明は、電源投入時に無線親機と無線通信可能な無線子機を認識し、現状で調光制御の可能な調光器を確定するようにしたものである。
【発明の効果】
【００１６】
請求項１の発明によれば、制御対象分の制御信号の送信に要する時間の経過後から次の制御信号が入力されるまでの間を無線親機の受信モードとし、その受信モードの間に無線子機から無線親機に監視データを伝送するので、通信速度の遅い無線機であっても無線機を増やすことなく、無線子機から無線親機に監視データを伝送できる。
【００１７】
請求項２の発明によれば、調光器分の調光制御信号だけを送信するので、通信速度の遅い無線機であっても、次の調光制御信号が入力されるまでの間の空き時間を確保できる。従って、装置の構造を変更せずに装置サイズもそのままで、操作卓から調光器へ調光制御信号を伝送でき、調光器から操作卓へ監視データも伝送できる。
【００１８】
請求項３の発明によれば、各々の無線子機は、次の調光制御信号が入力されるまでの間の空き時間に、自己の無線ＩＤ番号に所定時間を乗じた時間の経過後に監視データを送信するので、１台の無線親機に対して、複数個の無線子機で構成される調光制御システムであっても、各々の調光器から調光操作手段へ伝送時間が重複することなく監視データを適正に伝送できる。
【００１９】
請求項４の発明によれば、無線親機は、電源投入時に無線親機と無線通信可能な無線子機を認識するので、現状で調光制御の可能な調光器を確定できる。また、無線親機から無線子機に対して適当な周波数チャンネルを自動設定できる。
【発明を実施するための最良の形態】
【００２０】
図１は本発明の実施の形態に係わる無線送受信装置を調光制御システムに適用した構成図である。図１では、制御対象は照明負荷であり、制御信号は調光操作手段から出力される調光制御信号である場合を示している。また、無線親機から複数台の無線子機に調光制御信号を送信する場合を示している。
【００２１】
図１において、無線送受信装置は、無線親機１１と無線子機１２ａ〜１２ｎとからなり、無線親機１１から無線子機１２ａ〜１２ｎに調光制御信号を送信し、無線子機１２ａ〜１２ｎから無線親機１１に監視データを送信する。
【００２２】
無線親機１１には調光操作手段１３が接続されており、また、無線子機１２ａ〜１２ｎには調光器１４ａ〜１４ｎが接続され、その調光器１４ａ〜１４ｎには照明負荷１５ａ〜１５ｎが接続されている。調光操作手段１３は照明負荷１４ａ〜１４ｎを調光制御する調光制御信号を無線親機１１に出力し、無線親機１１は調光操作手段１３から入力した調光制御信号を無線信号化して無線子機１２ａ〜１２ｎに送信する。
【００２３】
無線親機は、ＣＰＵ１６及び無線モジュール送受信手段１７を有し、調光操作手段１３から調光制御信号が入力されると、無線モジュール送受信手段１７を介して調光制御信号を送信する。ここで、調光制御信号は、通常、最大で５１２個の調光レベルデータを含んでいるが、調光制御システムによっては、その５１２個のすべてを使用するわけではない。例えば、使用している調光レベルが最大の半分である場合には、有効な調光制御信号を送信する時間は半分で済む。すなわち、無線親機１１と無線子機１２ａ〜１２ｎの無線伝送において、調光制御システムの全体構成から無線子機１２ａ〜１２ｎに接続される調光器１４ａ〜１４ｎ分の調光制御信号のみを送る。
【００２４】
そこで、ＣＰＵ１６は無線子機１２ａ〜１２ｎに接続される調光器１４ａ〜１４ｎ分だけの調光制御信号を無線モジュール送受信手段１７を介して無線子機１２ａ〜１２ｎに送信する。ＣＰＵ１６は調光器分の調光制御信号の送信に要する時間の経過後から次の調光制御信号が入力されるまでの間を受信モードとする。このようにして、その受信モードの間に無線子機１２ａ〜１２ｎから監視データを受信するための空き時間を確保する。
【００２５】
無線子機１２ａ〜１２ｎは、無線親機１１と同様にＣＰＵ１８ａ〜１８ｎ及び無線モジュール送受信手段１９ａ〜１９ｎを有し、無線モジュール送受信手段１９ａ〜１９ｎを介して無線親機１１から調光制御信号を受信する。無線子機１２ａ〜１２ｎのＣＰＵ１８ａ〜１８ｎは、通常時は送信モードとしておき無線親機１１からの調光制御信号を受信し、受信した調光制御信号を調光器１４ａ〜１４ｎに送信する。これにより調光器１４ａ〜１４ｎは照明負荷１５ａ〜１５ｎを調光制御する。
【００２６】
また、ＣＰＵ１８ａ〜１８ｎは無線親機１１からの調光制御信号の受信後に、無線親機１２ａ〜１２ｎのモードを受信モードから送信モードに切り換える。無線子機１２ａ〜１２ｎが送信モードとなっている間は、無線親機１１は受信モードとなっている。そして、その送信モードの間に調光器１４ａ〜１４ｎからの監視データを無線親機１１に送信する。
【００２７】
このように、調光制御システムの全体構成から無線子機１２ａ〜１２ｎに接続される調光器１４ａ〜１４ｎ分の調光制御信号のみを送り、監視データの伝送時間を確保する。そして、その時間に無線子機１４ａ〜１４ｎから無線親機１１へ監視データを伝送することにより、調光制御信号のリアルタイム性を損ねることなく、調光制御と監視データの収集とを実現する。
【００２８】
図２は本発明の実施の形態に係わる無線送受信装置の送受信タイミングを示すタイムチャートである。図２では無線子機１２が３台である場合を示している。いま、時点ｔ０で無線親機１１が調光制御対象である調光器分の調光制御信号のみの送信を開始したとすると、各々の無線子機１２ａ〜１２ｃは時点ｔ１で調光制御信号の受信を開始する。そして、時点ｔ２で無線親機１１が調光制御対象である調光器分の調光制御信号の送信を完了したとすると、各々の無線子機１２ａ〜１２ｃは時点ｔ３で調光制御信号の受信を完了する。この時点ｔ３で無線親機１１はモードを送信モードから受信モードに切り換える。
【００２９】
ここで、調光制御信号は、無線親機１１から周期的に送信されてくるが、無線親機１１から無線子機１２ａ〜１２ｂに調光制御信号を送信する周期は、調光制御信号の最大の調光レベルデータ５１２個を送信できる周期である。従って、調光制御対象である調光器分の調光制御信号のみの調光レベルデータは最大の５１２個より少ないので、次の調光制御信号が送信されてくるまでに空き時間Ｔを確保できる。
【００３０】
この空き時間Ｔの間に、無線子機１２ａ〜１２ｃから監視データを無線親機１１に送信する。すなわち、無線子機１２ａは時点ｔ３で調光制御信号の受信を完了すると、モードを受信モードから送信モードに切り換え、伝送時間Ｔ１１の間に監視データを送信し、その後にモードを送信モードから受信モードに切り換える。同様に、無線子機１２ｂは時点ｔ３で調光制御信号の受信を完了すると、モードを受信モードから送信モードに切り換え、伝送時間Ｔ１２の間に監視データを送信し、その後にモードを送信モードから受信モードに切り換える。無線子機１２ｃも同様に、時点ｔ３で調光制御信号の受信を完了すると、モードを受信モードから送信モードに切り換え、伝送時間Ｔ１３の間に監視データを送信し、その後にモードを送信モードから受信モードに切り換える。無線親機１１は各々の無線子機１２ａ〜１２ｃから送信されてきた監視データを、それぞれ時間Ｔ１１’、Ｔ１２’、Ｔ１３’の間に受信する。
【００３１】
このように、無線親機１１が各々の無線子機１２ａ〜１２ｃからの監視データを受信する際には、受信時間をずらして受信するようにしている。これは、無線子機１２ａ〜１２ｃから無線親機１１への伝送時間が重複することなく監視データを伝送するできるようにするためである。
【００３２】
伝送時間Ｔ１１〜Ｔ１３の時間ずれの設定は、例えば、無線子機１２ａ〜１２ｃの無線ＩＤ番号に所定時間を乗じた時間で設定する。すなわち、複数台の無線子機１２ａ〜１２ｃは、１台の無線親機１１に対して、それぞれ異なるＩＤ番号が設定されて識別できるようになっているので、そのＩＤ番号に一定時間Ｔ０を乗算して送信タイミングを定める。例えば、ＩＤ番号が「１」である無線子機１２ａは１×Ｔ０のタイミングで監視データを送信し、ＩＤ番号が「２」である無線子機１２ｂは、２×Ｔ０のタイミングで監視データを送信する。これにより、各々の無線子機１２ａ〜１２ｃから無線親機１１へ伝送時間が重複することなく監視データを伝送できる。
【００３３】
無線親機１１に送信された監視データは調光操作手段１３に送信され、必要に応じて表示出力される。これにより、調光操作手段１３にて各々の調光器１４ａ〜１４ｂからの監視データを監視できる。
【００３４】
以上の説明では、３個の無線子機１２ａ〜１２ｃの場合について説明したが、３個以上の無線子機１２ａ〜１２ｎの場合も同様に適用できる。また、無線親機１１から無線子機１２ａ〜１２ｎには調光制御信号を送信する場合について説明したが、無線親機１１から無線子機１２ａ〜１２ｎへの無線による調光制御信号に無線子機１２ａ〜１２ｎや調光器１４ａ〜１４ｎの設定情報を含むようにしてもよい。この場合には、無線親機１１から無線子機１２ａ〜１２ｎ側の設定ができるので、無線子機１２ａ〜１２ｎ側の設定の手間を減らすことができ操作も簡単になる。
【００３５】
次に、図３は無線親機１１を内蔵した調光操作手段１３の外観構成図である。調光操作手段１３には調光制御信号を設定するための複数個のフェーダ２０が設けられており、その調光操作手段１３に無線親機１１を内蔵して取り付ける。無線親機１１のアンテナ２１は取付溝部２２に装着され、取付溝部２２の上部は切り欠かれている。これにより、アンテナ２１は１８０°回転できるようになっている。すなわち、図３ではアンテナ２１は垂直方向に立っているが、取付溝部２２の方向に９０°回転することができ、さらに取付溝部２２内部方向に向けて９０°回転することができる。
【００３６】
無線親機１１を操作卓１３に内蔵して無線親機１１の用途を調光制御信号や監視データの送受信に限定するので、調光制御システムの構成が簡素化でき、専門家でなくても簡単に素早く設置することができる。
【００３７】
図４は無線子機１２を搭載した調光器１４の外観構成図である。調光器１４には無線子機１２が搭載されている。無線子機１２のアンテナ２３は取付溝部２４に装着され、取付溝部２２は開口している。これにより、アンテナは１８０°回転できるようになっている。すなわち、図４ではアンテナ２１は右方向に向いているが、左右方向にそれぞれ９０°回転することができる。図４では調光器１４に無線子機１２を搭載した場合を示したが、調光器１４に無線子機１２を内蔵させるようにしてもよい。
【００３８】
次に、無線親機１１の周波数チャンネルを探す機能について説明する。無線親機１１は、電源投入時に無線親機１１と無線通信可能な無線子機１２を認識し、現状で調光制御の可能な調光器１４を確認する。また、無線親機１１から無線子機１２ａ〜１２ｎに対して適当な周波数チャンネルを自動設定する。
【００３９】
図５は無線親機１１と無線通信可能な無線子機１２を認識する場合の動作を示した調光制御システムの構成図である。無線親機１１は、電源投入時に複数台の無線子機に対して周波数チャンネルを順番に切り換えて無線送信する。いま、５台の無線子機１２ａ〜１２ｅがあり、無線有効範囲２５内に３台の無線子機１２ｂ、１２ｃ、１２ｅが位置し、無線有効範囲２５外に２台の無線子機１２ｂ、１２ｃが位置するとする。無線親機１１は、電源投入後に周波数チャンネルを１チャンネルからｍチャンネルまで切り換えて、空きチャンネル確認データを無線子機１２ａ〜１２ｅに送信する。そして、無線親機１１は各々の無線子機１２ａ〜１２ｅからのチャンネルデータの受信を待つ。
【００４０】
まず、無線親機１１は空きチャンネル確認データとして１チャンネルを選択して、各々の無線子機１２ａ〜１２ｎに送信する。無線親機１１は、空きチャンネル確認データを無線送信後にモードを受信モードに切り換え、無線子機１２ａ〜１２ｎからのチャンネルデータの受信を一定時間待つ。その後に無線親機１１を送信に戻し、周波数チャンネルを２チャンネル、３チャンネル〜ｍチャンネルに順次切り換えて、同様の処理を行う。
【００４１】
無線子機１２ａ〜１２ｎは、空きチャンネル確認データを無線受信したときは、無線子機１２ａ〜１２ｎのモードを送信モードに切り換え、「ＩＤ番号×一定時間［ｓ］」後に、自己のチャンネルデータを送信し、無線子機１２ａ〜１２ｎを受信モードに切り換える。チャンネルデータには、無線子機１２ａ〜１２ｎのＩＤ番号と設定周波数チャンネル等が含まれる。
【００４２】
図６は無線親機１１が無線子機１２からチャンネルデータを受信した場合の結果を示した調光制御システムの構成図である。図６に示すように、無線親機１１には、無線有効範囲２５外の無線子機１２ａ、１２ｄからのチャンネルデータの受信はなく、無線有効範囲２５内の無線子機１２ｂ、１２ｃ、１２ｅからのチャンネルデータを受信する。例えば、無線子機１２ｂ、１２ｃの周波数チャンネルは２チャンネル、無線子機１２ｅの周波数チャンネルは５チャンネルであることを受信する。
【００４３】
このように、無線親機１１は、各々の無線子機１２ａ〜１２ｅから受信したチャンネルデータに基づいて、自己の送信する無線を受信できる無線子機の数、ＩＤ番号、受信周波数の情報を収集し、その情報を調光操作手段に送信する。
【００４４】
無線親機１１は無線通信が可能な無線子機１２ｂ、１２ｂ、１２ｅが使用中の周波数チャンネルを確認し、空いている周波数チャンネルを取得する。例えば、使用中の周波数チャンネルは、２チャンネル及び５チャンネルであることを確認し、それ以外の１チャンネル、３チャンネル、４チャンネル、５チャンネル〜ｍチャンネルは、空き周波数チャンネルであると判断する。
【００４５】
次に、無線親機１１は、空き周波数チャンネルのうち適当な周波数チャンネルＺを選択し、無線通信が可能な無線子機１２ｂ、１２ｂ、１２ｅにて使用中の周波数チャンネルで周波数チャンネルデータＺを無線送信し、無線親機１１を受信モードに切り換える。すなわち、周波数チャンネルの設定はＺチャンネルに設定し、無線子機１２ｂ、１２ｂ、１２ｅからのチャンネル確認データを待つ、図７は無線親機１１から無線子機１２に周波数チャンネルデータＺを送信している状態を示す調光制御システムの構成図である。
【００４６】
無線子機１２ｂ、１２ｂ、１２ｅは、周波数チャンネルデータを受信後、周波数チャンネル設定をＺチャンネルに設定変更し、無線子機１２ｂ、１２ｂ、１２ｅを送信モードに切り換え、「ＩＤ番号×任意時間［ｓ］」後に、チャンネルデータを無線親機１１に送信し、無線子機１２ｂ、１２ｂ、１２ｅを受信モードに切り換える。図８は無線子機１２ｂ、１２ｂ、１２ｅから無線親機１１に設定変更したチャンネルデータＺを送信している状態を示す調光制御システムの構成図である。図８では、周波数チャンネルＺとして、Ｚ＝１の場合を示している。つまり、無線子機１２ｂ、１２ｂ、１２ｅの周波数チャンネルは１チャンネルに設定変更された状態を示している。
【００４７】
無線親機１１は、周波数チャンネルデータＺの送信後の一定時間経過後に、周波数チャンネルＺに設定変更された無線子機が一つでもあることが分かれば、調光制御信号の無線送信を開始する。図９は周波数チャンネルが設定変更された後に無線親機１１から無線子機１２ｂ、１２ｂ、１２ｅに調光制御信号が送信されている状態を示す調光制御システムの構成図である。
【００４８】
このように、無線親機１１の電源投入時に、無線親機１１と無線通信可能な無線子機１２ａ〜１２ｎを認識し、その情報を無線親機１１側の調光操作手段１３に表示し、調光操作手段１３でモニタすることにより、現状で調光制御の可能な調光器１４ａ〜１４ｎを確定する。また、無線親機１１から無線通信可能な無線子機１２ｂ、１２ｃ、１２ｅに対して適当な周波数チャンネルを自動設定する。
【００４９】
発明の実施の形態によれば、調光制御対象である調光器分の調光制御信号だけを送信するので、通信速度の遅い無線機であっても、次の調光制御信号が入力されるまでの間の空き時間を確保できる。また、各々の無線子機は、次の調光制御信号が入力されるまでの間の空き時間に、自己の無線ＩＤ番号に所定時間を乗じた時間の経過後に監視データを送信するので、１台の無線親機に対して、複数個の無線子機で構成される調光制御システムであっても、各々の調光器から調光操作手段へ伝送時間が重複することなく監視データを適正に伝送できる。さらに、無線親機は、電源投入時に無線親機と無線通信可能な無線子機を認識するので、現状で調光制御の可能な調光器を確定できる。また、無線親機から無線子機に対して適当な周波数チャンネルを自動設定できる。
【図面の簡単な説明】
【００５０】
【図１】本発明の実施の形態に係わる無線送受信装置を調光制御システムに適用した構成図。
【図２】本発明の実施の形態に係わる無線送受信装置の送受信タイミングを示すタイムチャート。
【図３】本発明の実施の形態における無線親機を内蔵した調光操作手段の外観構成図。
【図４】本発明の実施の形態における無線子機を搭載した調光器の外観構成図。
【図５】本発明の実施の形態における無線親機と無線通信可能な無線子機を認識する場合の動作を示した調光制御システムの構成図。
【図６】本発明の実施の形態における無線親機が無線子機からチャンネルデータを受信した場合の結果を示した調光制御システムの構成図。
【図７】本発明の実施の形態における無線親機から無線子機に周波数チャンネルデータＺを送信している状態を示す調光制御システムの構成図。
【図８】本発明の実施の形態における無線子機から無線親機に設定変更したチャンネルデータを送信している状態を示す調光制御システムの構成図。
【図９】本発明の実施の形態における周波数チャンネルが設定変更された後に無線親機から無線子機に調光制御信号が送信されている状態を示す調光制御システムの構成図。
【符号の説明】
【００５１】
１１…無線親機、１２…無線子機、１３…調光操作手段、１４…調光器、１５…照明負荷、１６…ＣＰＵ、１７…無線モジュール送受信手段、１８…ＣＰＵ、１９…無線モジュール送受信手段、２０…フェーダ、２１…アンテナ、２２…取付溝部、２３…アンテナ、２４…取付溝部、２５…無線有効範囲
【図１】
2006140764.tif 000003
【図２】
2006140764.tif 000004
【図３】
2006140764.tif 000005
【図４】
2006140764.tif 000006
【図５】
2006140764.tif 000007
【図６】
2006140764.tif 000008
【図７】
2006140764.tif 000009
【図８】
2006140764.tif 000010
【図９】
2006140764.tif 000011